(57)【要約】【課題】        複数の無線周波数が割り当てられた基地局にてサービスを提供する移動通信システムにおける上位装置や基地局装置の負荷を低減する。      【解決手段】  符号分割多元接続が可能である移動通信システムに含まれる基地局装置は、無線周波数毎にそれぞれ複数の呼の接続処理を行う複数の呼接続信号処理部と、前記各呼接続信号処理部への呼の割り当て状況に応じて、加入者端末からの接続要求にて選択された無線周波数による接続可否を判定する呼受付制御部と、を備えて、前記呼受付制御部の判定結果に応じて前記加入者端末に対し接続要求応答を送信する。また、接続不可と判定された場合、接続要求応答には、余裕のある無線周波数が通知され、より接続確度の高い再接続要求を行うことが可能となる。【選択図】  図１
2006352550.tif 000002
【特許請求の範囲】
【請求項１】
上位局装置からの接続設定制御を受ける基地局装置であって、
無線周波数毎にそれぞれ複数の呼の接続処理を行う複数の呼接続信号処理部と、
前記上位局装置からの接続設定信号に基づいて、前記呼接続信号処理部のいずれかに呼を割り当てる呼接続制御部と、
前記呼接続制御部による割り当て状況に応じて、接続要求にて選択された無線周波数による接続可否を判定する呼受付制御部と、
移動局から無線周波数を選択した接続要求を受け付け前記上位局装置に対して通知するとともに、前記呼受付制御部による接続可否の判定結果に応じて前記移動局に対し接続要求応答を送信する呼受付処理部と、を備えたこと、
を特徴とする基地局装置。
【請求項２】
前記接続要求応答として、接続可能な無線周波数を通知すること、
を特徴とする請求項１に記載の基地局装置。
【請求項３】
移動局と、請求項１又は２に記載の基地局装置と、前記上位局装置として動作する無線ネットワーク制御装置と、を含んで構成され、符号分割多元接続サービスを提供する移動通信システム。
【請求項４】
移動通信システムに含まれる基地局装置における呼接続方法であって、
前記基地局装置が、移動局から無線周波数を選択した接続要求を受け付け、該基地局装置を制御する上位局装置に対して通知するステップと、
前記基地局装置が、無線周波数毎にそれぞれ複数の呼の接続処理を行う複数の呼接続信号処理部の中から、前記上位局装置からの接続設定信号に対応する呼接続信号処理部に呼を割り当てるステップと、に加えて更に、
前記移動局から接続要求を受信した際に、前記基地局装置が、
前記呼の割り当て状況を参照し、接続要求にて選択された無線周波数による接続可否を判定するステップと、
前記移動局に対し前記判定結果に応じた接続要求応答を送信するステップと、を含み、前記移動局をして、異なる無線周波数での接続を試行させること、
を特徴とする呼接続方法。
【請求項５】
前記基地局装置は、前記接続要求応答として接続可能な無線周波数を通知すること、
を特徴とする請求項４に記載の呼接続方法。
【発明の詳細な説明】
【技術分野】
【０００１】
本発明は、移動通信システム、基地局装置及び呼接続方法に関し、特に、各基地局装置が複数の無線周波数で多元接続サービスを提供する移動通信システム、基地局装置及び呼接続方法に関する。
【背景技術】
【０００２】
特許文献では、特開平１０−３２２７６０号公報に、複数の無線周波数が割り当てられ、無線周波数毎のチャネル使用率を監視するチャネル使用率監視手段と、移動局に対してチャネル使用率が所定状態である無線周波数を指定するハードハンドオフ指示を与えるハードハンドオフ手段とを備えた基地局装置と、前記ハードハンドオフ指示に指定された無線周波数を次の呼の発生時に使用する使用候補無線周波数として使用する移動局と、を備え、無線周波数毎のチャネル使用率を平均化することが可能なセルラ無線システムが紹介されている。
【０００３】
図３は、従来の移動通信システムの構成及び動作を説明するための図である。図３を参照すると、基地局装置１０は、３種類の無線周波数１〜３によって加入者端末（移動局）２０との接続が可能となっているものとする。加入者端末２０は、３種類の無線周波数からランダムに周波数を選択して基地局装置１０の呼受付処理部４０に対して接続要求ａを送信する。接続要求ａを受けた呼受付処理部４０は、上位装置３０に対して加入者端末の接続要求情報ｃを送信し、接続要求情報ｃを受けた上位装置３０が、基地局装置１０の呼接続制御部５０に対して加入者端末２０への接続設定信号ｄを送信する。接続設定信号ｄを受けた呼接続制御部５０が、呼接続信号処理部６０―１〜ｎの中から加入者端末２０が選択した無線周波数を設定可能なものを選択し、呼接続設定信号ｅを送信することで加入者との接続が可能となる。図４は、加入者（端末）（１）〜（９）より（無線）周波数１〜３を指定する接続要求があった場合の呼接続制御部５０の動作を表した図である。
【０００４】
上記のように、呼接続信号処理部がそれぞれ一つの無線周波数の呼接続信号しか処理できない構成であるとき、負荷の高い呼接続信号処理部から余裕のある呼接続信号処理部への振り分けが行われる。例えば、図５に例示するように、無線周波数１が割り当てられた呼接続信号処理部６０−１、６０−２、６０−３の収容可能数を超える接続要求がなされた場合、基地局装置１０は、他の無線周波数２に割り当てられた呼接続信号処理部６０−４に割り当てられた呼を同一無線周波数２を処理可能な別の呼接続信号処理部６０−５、６０−６に追い出し、呼接続信号処理部６０−４を空き状態にした後、設定可能な無線周波数を接続要求のあった無線周波数１に変更することによって対応している。
【０００５】
【特許文献１】特開平１０−３２２７６０号公報
【発明の開示】
【発明が解決しようとする課題】
【０００６】
しかしながら、上記別の呼接続信号処理部への追い出し処理は、基地局装置を高負荷状態に陥れてしまうという問題点がある。この結果として、他の加入者端末に対する接続処理の遅延や、監視制御等の基地局装置の別の機能の停滞等の影響を及ぼすことが考えられる。
【０００７】
また、上記追い出し処理を実行するに充分な容量の空きを確保できなければ、空き状態の呼接続信号処理部を作ることができず、加入者端末からの接続要求に対し否定応答（ＮＧ）を返すことになるが、その確認のために余計な負荷・時間がかかるという問題点がある。
【課題を解決するための手段】
【０００８】
本発明の第１の視点によれば、複数の無線周波数が割り当てられ、上位局装置からの接続設定制御を受ける基地局装置であって、無線周波数毎にそれぞれ複数の呼の接続処理を行う複数の呼接続信号処理部と、前記各呼接続信号処理部への呼の割り当て状況に応じて、加入者端末からの接続要求にて選択された無線周波数による接続可否を判定する呼受付制御部と、を備えて、前記呼受付制御部の判定結果に応じて前記加入者端末に対し接続要求応答を送信する基地局装置及び該基地局装置を含んだ移動通信システムが提供される。
【０００９】
また、本発明の第２の視点によれば、前記した移動通信システムに含まれる基地局装置における負荷を低減できる呼接続方法が提供される。この方法によれば、前記基地局装置が移動局（加入者端末）から無線周波数を選択した接続要求を受け付け、該基地局装置を制御する上位局装置に対して通知するステップと、前記基地局装置が、無線周波数毎にそれぞれ呼接続処理を行う複数の呼接続信号処理部の中から、前記上位局装置からの接続設定信号に対応する呼接続信号処理部に呼を割り当てるステップとの呼割り当て処理に加えて更に、前記移動局（加入者端末）から接続要求を受信した際に、前記基地局装置が、前記呼の割り当て状況を参照し、接続要求にて選択された無線周波数による接続可否を判定するステップと、前記移動局（加入者端末）に対し前記判定結果に応じた接続要求応答を送信するステップとの呼受付制御処理とが行われる。そして、前記移動局（加入者端末）は、前記接続要求応答に基づいて、異なる無線周波数での接続を試みる処理が開始される。
【発明の効果】
【００１０】
本発明によれば、上位装置や基地局装置の負荷を低減するとともに、加入者端末側での接続待ち時間を低減することが可能となる。その理由は、加入者端末から接続要求を受けた時点で、上位装置を介さずに、当該無線周波数の空き状況を確認し応答する様構成したこと、そして、上記呼接続信号処理部での追い出し処理を不要としたことにある。
【発明を実施するための最良の形態】
【００１１】
続いて、本発明を実施するための最良の形態について、図面を参照して詳細に説明する。図１は、本発明の一実施の形態に係る移動通信システムの構成及び動作を説明するためのブロック図である。図１を参照すると、図３の従来構成に比べて、本実施形態に係る基地局装置１０は、呼受付制御部７０を備えている点で異なっている。
【００１２】
基地局装置１０は、３種類の無線周波数１〜３によって加入者端末（移動局）２０とのＣＤＭＡ（Ｃｏｄｅ  Ｄｉｖｉｓｉｏｎ  Ｍｕｌｔｉｐｌｅ  Ａｃｃｅｓｓ；符号分割多元接続）方式による接続が可能となっているものとする。加入者端末２０は、前記３種類の無線周波数からランダムに周波数を選択して基地局装置１０の呼受付処理部４０に対して接続要求ａを送信するまでの動作は、従来と同様である。
【００１３】
接続要求ａを受けた呼受付処理部４０は、呼受付制御部７０に対して接続要求確認信号ｇを送信する。接続要求確認信号ｇを受信した呼受付制御部７０は、呼接続制御部５０からの呼接続信号処理部使用状況情報ｆを参照し、加入者端末２０が接続要求を行った無線周波数を割り当てることが可能か否かを判断する。
【００１４】
ここで、該当無線周波数に余裕がある場合は、呼受付制御部７０は、接続要求応答信号ｈによって肯定応答（接続ＯＫ）を行う。一方、該当無線周波数の呼接続信号処理部がある一定値（しきい値）以上使用されていて容量不足が発生する可能性がある場合は、呼受付制御部７０は、接続要求応答信号ｈによって否定応答（接続ＮＧ）と最も空き容量のある無線周波数を返送する。
【００１５】
接続ＯＫであることを示す接続要求応答信号ｈを受けた呼受付処理部４０は、上位装置（上位局装置）３０に対して接続要求情報ｃを送信する。以下、接続要求情報ｃを受けた上位装置３０が基地局装置１０の呼接続制御部５０に対して加入者端末２０への接続設定信号ｄを送信する処理が行われ、接続設定信号ｄを受けた呼接続制御部５０が、呼接続信号処理部６０―１〜ｎの中から加入者端末２０が選択した無線周波数を設定可能なものを選択し、呼接続設定信号ｅを送信することで加入者との接続が可能となる。
【００１６】
一方、接続ＮＧとの接続要求応答信号ｈを受信した場合、呼受付処理部４０は、該当無線周波数による接続が不可能である旨（接続ＮＧ）と容量に余裕のある無線周波数を接続要求応答ｂで加入者端末２０に返送する。
【００１７】
接続要求応答ｂで接続が不可能である旨（接続ＮＧ）を応答を受けた加入者端末２０は、接続要求応答ｂで指定された余裕のある無線周波数で再度接続要求ａを送信することによって接続が可能となる。
【００１８】
図２は、無線周波数１の呼接続信号処理部がある一定値以上使用されている場合の基地局と加入者端末の動作を表した図である。図２の（無線）周波数１の呼接続信号処理部６０−１、６０−２、６０−３は一定値以上使用されており、容量不足が発生しうる状態にあるとする。この場合に、加入者（端末）ｘが、（無線）周波数１を指定して接続要求を行った場合、呼受付制御部７０は、各呼接続信号処理部６０−１〜ｎの使用状況を示す呼接続信号処理部使用状況情報ｆを参照し、加入者端末２０が接続要求を行った無線周波数を割り当てることが可能か否かを判断する。
【００１９】
図２のケースでは、（無線）周波数１の呼接続信号処理部６０−１、６０−２、６０−３は、一定値以上使用されていて容量不足が発生する可能性があるため、否定応答（接続ＮＧ）と、最も空き容量のある無線周波数として（無線）周波数２が返送される。
【００２０】
その後、加入者端末２０が、指示された（無線）周波数２で再度接続要求を送信すると、（無線）周波数２には余裕があるため、呼受付制御部７０によって肯定応答（接続ＯＫ）が行われると、呼受付処理部４０は、上位装置（上位局装置）３０に対して接続要求情報ｃの送信を行う。
【００２１】
接続要求情報ｃを受けた上位装置３０は、基地局装置１０の呼接続制御部５０に対して加入者端末２０への接続設定信号ｄを送信する処理を行う。そして、接続設定信号ｄを受けた呼接続制御部５０が、呼接続信号処理部６０―１〜ｎの中から加入者端末２０が選択した無線周波数を設定可能なものを選択し、呼接続設定信号ｅを送信することで加入者との接続が可能となる。
【００２２】
以上本発明の好適な実施形態を説明したが、本発明の技術的範囲は、上述した実施形態に限定されるものではなく、基地局装置側に呼受付制御部を配設し、上位装置を介することなく、呼の受付可否を判定するという本発明の要旨を逸脱しない範囲で、各種の変形・置換をなしうることが可能であることはいうまでもない。
【００２３】
また、上記した実施形態では、呼接続信号処理部６０―１〜ｎが一定値以上使用されていて容量不足が発生する可能性がある場合、呼受付制御部７０は、最も空き容量のある無線周波数を送信するものとして説明したが、上記空き容量の少ない無線周波数を通知し、次回の接続要求時に少なくとも当該無線周波数が再度選択されないようにする構成とすることも可能である。
【図面の簡単な説明】
【００２４】
【図１】本発明の第１の実施形態に係る移動通信システムの構成及び動作を説明するための図である。
【図２】本発明の第１の実施形態に係る移動通信システムの動作を説明するための図である。
【図３】従来の移動通信システムの構成及び動作を説明するための図である。
【図４】従来の移動通信システムの呼接続制御部の動作を説明するための図である。
【図５】従来の移動通信システムの基地局における追い出し処理の概要を説明するための図である。
【符号の説明】
【００２５】
１０  基地局装置
２０  加入者端末（移動局）
３０  上位装置（上位局装置）
４０  呼受付処理部
５０  呼接続制御部
６０−１〜６０−ｎ  呼接続信号処理部
７０  呼受付制御部
【図１】
2006352550.tif 000003
【図２】
2006352550.tif 000004
【図３】
2006352550.tif 000005
【図４】
2006352550.tif 000006
【図５】
2006352550.tif 000007